(57)【特許請求の範囲】
【請求項１】
エレベーターの昇降かご（５）内の側壁面（６）、床面（７）の被養生面を、各養生パネル部材（１０）、（１６）、（１７）により一時的に養生保護するエレベーターの昇降かご内の養生構造であって、
前記側壁面（６）を養生する縦型および横型側壁面養生パネル部材（１０）、（１６）と、
前記床面（７）を養生する床面養生パネル部材（１７）および前記縦型および横型側壁面養生パネル部材（１０）、（１６）を前記側壁面（６）に沿って掛着垂設させる複数のフック部材（２１）を備え、
前記縦型側壁面養生パネル部材（１０）は、塩化樹脂等の複数の難燃性基板（１１）がそれぞれ縦向きで、かつ間隔を有して横一列に配列され、これら配列された複数の難燃生基板（１１）の表裏両面には、塩化ビニールシート等の難燃性シート（１２）が熱溶着されて、前記難燃性シート（１２）同士の熱溶着ヒンジ部（１３）を介して前記それぞれの難燃性基板（１１）が交互に折り畳み可能とされるとともに、前記それぞれの難燃性基板（１１）の最上部には、前記フック部材（２１）のフック部（２４）が掛着される掛着穴（１５）がそれぞれ等間隔で横一列に設けられて構成され、
前記横型側壁面養生パネル部材（１６）は、塩化樹脂等の複数の難燃性基板（１１）がそれぞれ横向きで、かつに間隔を有して縦一列に配列され、これら配列された複数の難燃生基板（１１）の表裏両面には、塩化ビニールシート等の難燃性シート（１２）が熱溶着されて、前記難燃性シート（１２）同士の熱溶着ヒンジ部（１３）を介して前記それぞれの難燃性基板（１１）が交互に折り畳み可能とされるとともに、前記それぞれの難燃性基板（１１）のうちの最上部の難燃性基板（１１）には、前記フック部材（２１）のフック部（２４）が掛着される掛着穴（１５）がそれぞれ等間隔で横一列に設けられて構成され、
前記床面養生パネル部材（１７）は、硬質樹脂製等の複数の基板（１８）が間隔を有して配列され、これら配列された基板（１８）の表裏両面には、塩化ビニールシート等の難燃性シート（１９）が熱溶着されて、前記難燃性シート（１９）同士の熱溶着ヒンジ部（２０）を介して前記それぞれの基板（１８）が折り畳み可能とされて構成され、
前記複数のフック部材（２１）は、それぞれ磁性体(２２)を有する吸着部（２３）と、該吸着部(２３)に取り付けられたフック部（２４）を含み、かつこれら複数のフック部材（２１）は、硬質樹脂製の上板部（２６）と、折り返しヒンジ部（２７）を介して連設の下板部（２８）から形成され、不使用時等において、前記ヒンジ部（２７）を介して各板部（２６）、（２７）が折り重ねられることにより、前記磁性体（２２）が不用意に吸着しないようにされた共通基板(２５)の前記上板部(２６)に、前記縦型および横型側壁面養生パネル部材（１０）、（１６）の各掛着穴（１５）と適合する間隔をもって横一列に設けられて構成され、
前記共通基板（２５）に配設された複数のフック部材（２１）が前記側壁面（６）の上部に、前記磁性体(２２)を介して吸着され、次いで、これらフック部材（２１）の各フック部（２４）に前記縦型および横型側壁面養生パネル部材（１０）、（１６）の各掛着穴（１５）が掛着されてこれら側壁面養生パネル部材（１０）、（１６）が掛着垂設され、前記床面（７）上には前記床面養生パネル部材（１７）が定置され、        
以って、前記昇降かご（５）内の前記側壁面（６）、床面（７）が前記それぞれの養生パネル部材（１０）、（１６）、（１７）により養生保護される構成を特徴とするエレベーターの昇降かご内の養生構造。
【発明の詳細な説明】
【技術分野】
【０００１】
本発明は、エレベーターの昇降かごの内側壁面、床面を各養生パネル部材により簡易にして、かつ速やかに一時的に養生保護することができるエレベーターの昇降かご内の養生構造に関する。
【背景技術】
【０００２】
一般的にエレベーターは、図１に示されているように、乗場１に面して設けられた三方枠２と、この三方枠２の内側に形成された出入口３と、この出入口３に設けられた乗場ドア４と、この乗場ドア４の内側に設けられた昇降かご５を有している。
【０００３】
昇降かご５は、図２に概略的に示されているように、側壁面６、床面７、天井８及び昇降かごドア９を有し、昇降かごドア９と乗場ドア４はほぼ同時に開閉するようになっている。
【０００４】
このような構成に係るエレベーターは、例えば、建築物であるビルオーナーの所有物であり、ビル入居者の使用物である。
【０００５】
そこで、エレベーターの設置してあるビル等において建築作業や改築作業等を行う場合、建築資材や工具類等の搬入・搬出、作業員の出入りが階段の上がり下がりであるとすると、作業効率が悪いばかりか、疲労度が増すためにエレベーターを借りて使用することになる。
【０００６】
ところで、エレベーターを借用する以上はこれを傷付けたり、汚したりすることは許されないために、これら外傷等からエレベーターの出入口や昇降かご内を養生保護する必要がある。
【０００７】
特許文献１には、昇降かご内の床を養生保護する床面養生パネルの三辺の端縁適所と残り一辺の端縁中央部位に、それぞれ連結材の一方の挟着部が差し込まれ、かつ磁性体を介して前記床の表面に着脱可能に吸着固定されるとともに、前記三辺の端縁適所に取り付けられた前記各連結材における他方の挟着部はヒンジ部を介して略Ｌ形に折り曲げ形成され、かつ磁性体を介して各側壁の表面下端に着脱可能に吸着固定されて、前記床上に前記床面養生パネルが設けられ、床面養生パネルの残り一端縁の中央部位に設けられた前記連結材の他方の挟着部には、乗場ドアと昇降かごドアの全開状態が維持されて形成された出入口上面を養生保護し、かつエレベーターの運転時には前記昇降かご内に折り返される折り返し養生パネルの端縁中央部位が差し込まれて連結され、各側壁のコーナー縦方向の適所には、略Ｌ形に折り曲げ形成された前記各連結材が、その挟着部をそれぞれ側壁の表面に磁性体を介して着脱可能に吸着固定して設けられ、各側壁の表面下端に吸着固定の前記各連結材における上向き挟着部と、前記各側壁のコーナー縦方向に吸着固定の前記各連結材における挟着部に各側壁を養生保護する側壁面養生パネルの下端縁と側端縁が差し込まれて設けられ、天井を養生保護する穴明き天井養生パネルの四辺の端縁適所に、それぞれ前記連結材の一方の挟着部が差し込まれ、かつ磁性体を介して各側壁の表面上部に着脱可能に吸着固定されるとともに、前記それぞれの連結材の他方の下向き挟着部に前記側壁面養生パネルの上端縁が差し込まれて前記穴明き天井養生パネルが設けられ、以って、前記昇降かご内の床、側壁及び天井と出入口が前記それぞれの各養生パネルにより養生保護されるエレベーターの養生構造が開示されている。
【０００８】
しかしながら、この特許文献１に開示のものは、一対の挟着部における一対の挟着片をコ字形に拡開して養生パネルを差し込めばよく、これにより各養生パネルは一対の挟着片のばね性により固定的に挟着連結されるので、養生パネルの連結に蝶番や連結金具を一切必要とせず、簡易にして、かつ従来に比して迅速に養生パネルを連結することができ、その目的を達成し得るものであるが、ばね性を有する一対の挟着片を拡開させて養生パネルを差し込む作業が大変であって、ある程度の熟練を要し、なかなか思うように作業が進ず、作業の迅速性に問題があった。
【特許文献１】特開２００６−２９０５９６号公報
【発明の開示】
【発明が解決しようとする課題】
【０００９】
本発明が解決しようとする問題点は、養生パネルの連結部材を不可欠とし、かつ連結部材の挟着片に養生パネルを挟み込むという面倒な作業を要するために、その連結作業が面倒で養生作業を簡単にして、迅速に行うことができないという点である。
【００１０】
また、養生パネルは大きな一枚物であるために嵩張って、昇降かご内への搬入や搬出が簡単ではなく、また、保管場所もとり、その取り扱いが面倒であるという点である。
【００１１】
したがって、本発明の目的は、連結材を用いることなく、フック部材に養生パネル部材を掛着して垂設するだけで養生できて、熟練を要することなく素人でも容易にして、かつ迅速にエレベーターの昇降かご内の養生保護行うことができるようにしたものである。
【００１２】
また、本発明の目的は、各養生パネル部材を構成している複数のパネル基板を交互に折り畳み可能とすることによって、各養生パネル部材を簡単容易にコンパクトに折り畳むことができて、また、養生パネル部材を掛着するフック部材における磁性体が不用意に吸着しないようにすることにより、これら部材の持ち運びや保管等を簡単、容易に行うことができるようにしたことである。
【００１３】
また、本発明の目的は、各養生パネル部材を交互に折り畳み可能な構成とすることによって、側壁面の角部においては略直角に折り曲げられた養生パネル部材で角部に隙間をつくることなく側壁面を完全、かつ容易に養生保護できるようにしたことにある。
【００１４】
これらの目的のため、本発明の請求項１に記載のエレベーターの昇降かご内の養生構造は、エレベーターの昇降かご５内の側壁面６、床面７の被養生面を、各養生パネル部材１０、１６、１７により一時的に養生保護するエレベーターの昇降かご内の養生構造であって、
前記側壁面６を養生する縦型および横型側壁面養生パネル部材１０、１６と、
前記床面７を養生する床面養生パネル部材１７および前記縦型および横型側壁面養生パネル部材１０、１６を前記側壁面６に沿って掛着垂設させる複数のフック部材２１を備え、
前記縦型側壁面養生パネル部材１０は、塩化樹脂等の複数の難燃性基板１１がそれぞれ縦向きで、かつ間隔を有して横一列に配列され、これら配列された複数の難燃生基板１１の表裏両面には、塩化ビニールシート等の難燃性シート１２が熱溶着されて、前記難燃性シート１２同士の熱溶着ヒンジ部１３を介して前記それぞれの難燃性基板１１が交互に折り畳み可能とされるとともに、前記それぞれの難燃性基板１１の最上部には、前記フック部材２１のフック部２４が掛着される掛着穴１５がそれぞれ等間隔で横一列に設けられて構成され、
前記横型側壁面養生パネル部材１６は、塩化樹脂等の複数の難燃性基板１１がそれぞれ横向きで、かつに間隔を有して縦一列に配列され、これら配列された複数の難燃生基板１１の表裏両面には、塩化ビニールシート等の難燃性シート１２が熱溶着されて、前記難燃性シート１２同士の熱溶着ヒンジ部１３を介して前記それぞれの難燃性基板１１が交互に折り畳み可能とされるとともに、前記それぞれの難燃性基板１１のうちの最上部の難燃性基板１１には、前記フック部材２１のフック部２４が掛着される掛着穴１５がそれぞれ等間隔で横一列に設けられて構成され、
前記床面養生パネル部材１７は、硬質樹脂製等の複数の基板１８が間隔を有して配列され、これら配列された基板１８の表裏両面には、塩化ビニールシート等の難燃性シート１９が熱溶着されて、前記難燃性シート１９同士の熱溶着ヒンジ部２０を介して前記それぞれの基板１８が折り畳み可能とされて構成され、
前記複数のフック部材２１は、それぞれ磁性体２２を有する吸着部２３と、該吸着部２３に取り付けられたフック部２４を含み、かつこれら複数のフック部材２１は、硬質樹脂製の上板部２６と、折り返しヒンジ部２７を介して連設の下板部２８から形成され、不使用時等において、前記ヒンジ部２７を介して各板部２６、２７が折り重ねられることにより、前記磁性体２２が不用意に吸着しないようにされた共通基板２５の前記上板部２６に、前記縦型および横型側壁面養生パネル部材１０、１６の各掛着穴１５と適合する間隔をもって横一列に設けられて構成され、
前記共通基板２５に配設された複数のフック部材２１が前記側壁面６の上部に、前記磁性体２２を介して吸着され、次いで、これらフック部材２１の各フック部２４に前記縦型および横型側壁面養生パネル部材１０、１６の各掛着穴１５が掛着されてこれら側壁面養生パネル部材１０、１６が掛着垂設され、前記床面７上には前記床面養生パネル部材１７が定置され、        
以って、前記昇降かご５内の前記側壁面６、床面７が前記それぞれの養生パネル部材１０、１６、１７により養生保護される構成を特徴とするものである。
【００１５】
【００１６】
【００１７】
【００１８】
【００１９】
【発明の効果】
【００２０】
請求項１に記載の発明によれば、共通基板２５の横方向に等間隔の一列に取り付けられた各フック部材２１が養生すべき昇降かご５の内側壁面６の上部に吸着させて取り付けられ、これら各フック部材２１のフック部２４に縦型および横型側壁面養生パネル部１０、１６がそれぞれの掛着穴１５を介して掛着垂設されるものであるから、熟練を要することなく、素人であっても簡易にして、かつ速やかにエレベーターの昇降かご５の内側壁面６を養生保護することができる。
【００２１】
また、縦型および横型側壁面養生パネル部材１０、１６は、塩化樹脂等の複数の難燃性基板１１がそれぞれ縦向きで、または横向きで、かつ間隔を有して横一列、または縦一列に配列され、これら配列された難燃生基板１１の表裏両面には、塩化ビニールシート等の難燃性シート１２が熱溶着されて、難燃性シート１２同士の熱溶着ヒンジ部１３を介してそれぞれの難燃性基板１１が交互に折り畳み可能とされ、また、床面養生パネル部材１７も硬質樹脂製等の複数の基板１８が間隔を有して配列され、これら配列された基板１８の表裏両面には、塩化ビニールシート等の難燃性シート１９が熱溶着されて難燃性シート１９同士の熱溶着ヒンジ部２０を介してそれぞれの基板１８が折り畳み可能とされているから、それぞれの養生パネル部材１０、１６、１７は、一人の作業員で簡単にコンパクトに折り重ねることができて、養生パネル部材の搬出・搬入等の取り扱いが簡易であり、また保管場所も少ない場所ですむという利点を有する。
【００２２】
また、フック部材２１は、共通基板２５の横方向に等間隔の一列に取り付けられているから、各フック部材２１の取り付け位置決めが簡易で、一度で複数のフック部材２１の着脱を行うことができ、また、共通基板２５は、硬質樹脂製の上板部２６と、折り返しヒンジ部２７を介して連設の下板部２８から形成されているから、不使用時等においては、ヒンジ部２７を介して各板部２６、２８が折り重ねられて、この重ね状態が保持されれば磁性体２２が不用意に吸着しないので、取り扱いが簡単となる。
【００２３】
また、側壁面６の角部ａにおいては、縦型側壁面養生パネル部材１０が、その熱溶着ヒンジ部１３を介して略直角に折り曲げられて掛着垂設されるものであるから、側壁面６の角部ａに隙間をあけることなく完全に養生保護することができる。
【００２４】
【００２５】
【発明を実施するための最良の形態】
【００２６】
以下に図面を参照して、本願に係る発明を実施するための最良の形態についてその作用と共に説明する。
【００２７】
本発明に係るエレベーターの昇降かご内の養生構造は、エレベーターの昇降かご５内の側壁面６、床面７等の被養生面を、各養生パネル部材により一時的に養生保護するものであって、側壁面６を養生する縦型および横型側壁面養生パネル部材１０、１６と床面７を養生する床面養生パネル部材１７及び縦型および横型側壁面養生パネル部材を側壁面６に沿って掛着垂設させる複数のフック部材２１を備えている。
【００２８】
図３は、本発明に係るエレベーターの昇降かご内の養生構造の一例での一部横断の概略平面図で、乗場ドア１と昇降かご３のドア２の開成状態で、昇降かご３の養生内側壁面のうち、側壁面６と床面７を養生パネル部材により養生している状態を示す。
【００２９】
養生パネル部材は、縦型側壁面養生パネル部材と横型側壁面養生パネル部材、床面養生パネル部材の３種類が用意される。
【００３０】
縦型側壁面養生パネル部材１０は、図４、図５、図６に例示されているように、塩化樹脂材により矩形状に形成された複数枚の難燃性基板１１がそれぞれ縦向きで、かつ間隔を有して横一列に配列され、これら配列された難燃性基板１１の表裏両面には、塩化ビニールシート等の難燃性シート１２が高周波加工により熱溶着されて、これら難燃性シート１２同士の熱溶着ヒンジ部１３を介してそれぞれの難燃性基板１１が交互に折り畳み可能とされ、それぞれの難燃性基板１１の最上部には、後述のフック部材のフック部が掛着される鳩目金具１４付の掛着穴１５が等間隔で横一列に複数設けられている。
【００３１】
横型側壁面養生パネル部材１６は、図７に例示されているように、縦型側壁面養生パネル部材１０を横型にしたものであって、塩化樹脂材により矩形状に形成された複数枚の難燃性基板１１がそれぞれ横向きで、かつ間隔を有して縦一列に配列され、これら配列された難燃性基板１１の表裏両面には、塩化ビニールシート等の難燃性シート１２が高周波加工により熱溶着されて、これら難燃性シート１２同士の熱溶着ヒンジ部１３を介してそれぞれの難燃性基板１１が交互に折り畳み可能とされ、それぞれの難燃性基板１１の最上部の難燃性基板１１には、後述のフック部材のフック部が掛着される鳩目金具１４付の掛着穴１５が等間隔で横一列に複数設けられている。
【００３２】
また、床面養生パネル部材１７は、図８、図９に例示されているように、硬質樹脂製等の複数の矩形状基板１８が間隔を有して配列され、これら配列された基板１８の表裏両面には、塩化ビニールシート等の難燃性シート１９が高周波加工により熱溶着されて、難燃性シート１９同士の熱溶着ヒンジ部２０を介してそれぞれの基板１８が折り畳み可能とされてコンパクト化できるようになっている。
【００３３】
複数のフック部材２１は、図１０、図１１に例示されているように、磁石等の磁性体２２が固装された吸着部２３と、吸着部２３に可動的に連結された金属線製のフック部２４を含み、かつこれら複数のフック部材２１は、横長矩形状にして、かつ二つ折り可能な共通基板２５に等間隔で横一列に設けられている。
【００３４】
共通基板２５は、好ましくは硬質樹脂製の板体であって、上板部２６と肉薄細帯状のヒンジ部２７を介して一体に連設された下板部２８から形成され、複数のフック部材２１は上板部２６に等間隔で横一列に取り付けられ、被養生側壁面が鉄製の場合に、共通基板２５の位置決めをもって一度で複数のフック部材２１を横一列に吸着させることができるようになっている。
【００３５】
また、養生作業が終了して、フック部材２１を取り外した後は、ヒンジ部２７を介して上下板部２６、２８を相対的に折り重ね、この折り重ね状態をベルト等により保持させれば、フック部材２１の磁性体２２が不用意に吸着することはなく、持ち運びや保管等の取り扱い上において楽である。
【００３６】
なお、図１０、図１１において附されている数字２９は、フック部材２１を取り付けるための切り込みである。
【００３７】
次に、養生作業の手順について説明する。
【００３８】
先ず、図１１に２点鎖線で示されているように、被養生面である側壁面６の上部横方向全体に、所定の幅を有するのり残りの少ない、例えば和紙粘着テープ３０が粘着される。
【００３９】
この和紙粘着テープ３０は、フック部材２１の磁性体２２による鉄製側壁面６を傷付けないようにするためである。
【００４０】
次いで、一部横断の概略平面図である図３と、側壁面６の全体を展開した模式図である図１２に示されているように、共通基板２５に横一列に取り付けられた複数のフック部材２１が、その磁性体２２を和紙粘着テープ３０上において吸着させて取り付けられる。
【００４１】
次いで、側壁面６同士の角部ａにおいては、縦型側壁面養生パネル部材１０が、その熱溶着ヒンジ部１３を介して略直角状に折り曲げられて、折り曲げられた二辺上部に横一列に設けられた各掛着穴１５を介して各フック部材２１のフック部２４に掛着されて垂設され、これにより両側壁面６の一部分と角部ａは縦型側壁面養生パネル部材１０により養生保護される。  
【００４２】
次いで、両角部ａを含む両側壁面６を除く残された両側壁面６には、それぞれ横型側壁面養生パネル部材１６がその各掛着穴１５を介して各フック部材２１のフック部２４に掛着されて垂設され、これにより残された両側壁面６が養生保護され、これら養生パネル部材１０、１６によって側壁面の略全面が養生保護される。
【００４３】
次いで、床面７上に床面養生パネル部材１７が定置される。なお、この床面養生パネル部材１７は、最初に定置してもよい。
【００４４】
このようにして、昇降かご５内の側壁面６、床面７がそれぞれの養生パネル部材１０、１６、１７により養生保護される。
なお、側壁面６がステンレス製や樹脂製の非鉄製の場合は、磁性体２２による取り付けはできないため、特に図示しないが、各フック部材２１としては公知の吸着盤付フック部材が用いられる。
【図面の簡単な説明】
【００４５】
【図１】エレベーターの概略正面図である。
【図２】一部を切欠して示す昇降かごの概略斜視図である。
【図３】本発明に係るエレベーターの昇降かご内の養生構造の一例での一部横断の概略平面図である。
【図４】縦型側壁面養生パネル部材の一例を示す一部を切欠し、かつ省略の正面図である。
【図５】図４の５−５線に沿った一部省略の拡大縦断面図である。
【図６】図４の６−６線に沿った一部省略の拡大断面図である。
【図７】横型側壁面養生パネル部材の一例を示す一部を切欠し、かつ省略の正面図である。
【図８】床面養生パネル部材の一例を示す一部切欠の正面図である。
【図９】図８の９−９線に沿った一部省略の拡大断面図である。
【図１０】フック部材が共通基板に取り付けられた状態を示す一部を切欠し、かつ省略の正面図である。
【図１１】図１０の１１−１１線に沿った部分拡大断面図である。
【図１２】全側壁面の養生状態を展開して示す模式図である。
【符号の説明】
【００４６】
５    昇降かご
６    側壁面
７    床面
１０    縦型側壁面養生パネル部材
１１    難燃性基板
１２    難燃性シート
１３    熱溶着ヒンジ部
１４    鳩目金具
１５    掛着穴
１６    横型側壁面養生パネル部材
１７    床面養生パネル部材
１８    基板
１９    難燃性シート
２０    熱溶着ヒンジ部
２１    フック部材
２２ 磁性体
２３    吸着部
２４    フック部
２５    共通基板
２６    上板部
２７    下板部
２８    ヒンジ部
３０    粘着テープ
【要約】
【課題】フック部材に養生パネル部材を掛着して垂設するだけでエレベーターの昇降かごの内側壁面を簡易にして、かつ迅速に養生できる養生構造を提供すること。
【解決手段】側壁面６を養生する縦型および横型側壁面養生パネル部材１０、１６と床面７を養生する床面養生パネル部材１７および縦型および横型側壁面養生パネル部材１０、１６を側壁面６に沿って掛着垂設させる複数のフック部材を備え、側壁面６の上部に横一列に設けられた複数のフック部材の各フック部に縦型および横型側壁面養生パネル部材１０、１６の上部に設けられた各掛着穴が掛着されてこれら側壁面養生パネル部材１０、１６により側壁面６が養生されるとともに、床面７上には床面養生パネル部材１７が定置されて床面７が養生される。
【選択図】    図３【図１】
0004125779.tif 000002
【図２】
0004125779.tif 000003
【図３】
0004125779.tif 000004
【図４】
0004125779.tif 000005
【図５】
0004125779.tif 000006
【図６】
0004125779.tif 000007
【図７】
0004125779.tif 000008
【図８】
0004125779.tif 000009
【図９】
0004125779.tif 000010
【図１０】
0004125779.tif 000011
【図１１】
0004125779.tif 000012
【図１２】
0004125779.tif 000013